(57)【要約】【課題】  サーバを経由してファイル送信に行う場合における、送信者と受信者双方の連絡確認作業の負荷を軽減する。【解決手段】  (1) ファイル保存。(2) 利用者Ａからサーバ４に受信者Ｄへファイル送信のメールを送る。(3) サーバ４は、メール転送文を作成し、受信者Ｄにメールを送信する。このメール転送文作成のときに付加情報が書き加えられる。(4) 受信者Ｄはメールを受信し、ファイルが送付されることを知ると、そのファイルを受信するか否かを選択する。(4) 受信する場合は、ファイルの保存先／出力先の返信メールを送る。(5) サーバ４は返信メールと付加情報のメールを利用者Ａに送信する。(6) 受信者Ｄは通信端末１４又は画像出力機器１５にファイルをダウンロード、又は印刷出力を行うことができる。【選択図】  図２
2005071281.tif 000002
【特許請求の範囲】
【請求項１】
同一送信者が使用可能な少なくとも１つの送信者通信端末と、同一受信者が使用可能な少なくとも１つの受信者通信端末と、サーバとがネットワークに接続可能になされ、
前記送信者通信端末は、前記サーバに対してファイル転送、受信者の指定を行い、
前記サーバは、ファイルを保存し、指定された受信者にファイルを転送すると共に、送信者・サーバ・受信者間における所定の情報の送受信サービスを提供することを特徴とするファイル転送サービスシステム。
【請求項２】
前記受信者通信端末は、ファイル受信の可否とファイルを受信する受信者通信端末を指定する情報を前記サーバに返信し、前記サーバはファイル受信可の場合に指定された受信者通信端末にファイルを転送すると共に、ファイル受信の可否を前記送信者通信端末に送信することを特徴とする請求項１記載のファイル転送サービスシステム。
【請求項３】
前記受信者通信端末の１つが画像出力機器又は記憶装置であり、前記受信者通信端末でサーバからアドレスやファイル名の情報を取得し、取得した情報を画像出力機器又は記憶装置に設定すると共に、前記画像出力装置又は記憶装置をサーバに通知し、前記画像出力装置又は記憶装置は指示された情報に基づいてサーバにアクセスし、指定のファイルを受信して出力又は保存することを特徴とする請求項記１又は２記載のファイル転送サービスシステム。
【請求項４】
前記サーバから取得した前記アドレスやファイル名の情報を前記画像出力機器又は記憶装置に設定する際、受信者が前記画像出力装置又は記憶装置の操作画面から直接入力して設定することを特徴とする請求項３記載のファイル転送サービスシステム。
【請求項５】
前記サーバから取得した前記アドレスやファイル名の情報を前記画像出力機器又は記憶装置に設定する際、前記受信者通信端末からネットワーク通信を用いて画像出力装置又は記憶装置へ入力し設定することを特徴とする請求項３記載のファイル転送サービスシステム。
【請求項６】
前記受信者通信端末は携帯端末を含むことを特徴とする請求項１から５のいずれか１項に記載のファイル転送サービスシステム。
【請求項７】
前記所定の情報は、受信者に対する操作ガイダンスを含むことを特徴とする請求項１から６のいずれか１項に記載のファイル転送サービスシステム。
【請求項８】
送信者から送付されたファイルを保存する保存手段と、
送信者から指定された受信者にファイルを転送する転送手段と、
送信者・サーバ・受信者間における所定の情報の送受信サービスを提供するサービス提供手段とを設けたことを特徴とするサーバ。
【請求項９】
送信者から送付されたファイルを保存する処理と、
送信者から指定された受信者にファイルを転送する処理と、
送信者・サーバ・受信者間における所定の情報の送受信サービスを提供する処理とをコンピュータに実行させるプログラム。
【請求項１０】
請求項９記載のプログラムが記録されたコンピュータ読み取り可能な記録媒体。
【発明の詳細な説明】
【技術分野】
【０００１】
本発明は、ネットワーク上に利用者（送信者）の通信端末、受信者の通信端末、画像出力装置、サーバ等を接続し、利用者から送信されたファイルをサーバを介して各端末、装置で受信するサービスを提供するファイル転送サービスシステム及びサーバで用いられるプログラム及び記録媒体に関するものである。
【背景技術】
【０００２】
従来より、インターネット（World Wide Web）やＷＡＮ、ローカルエリア（ＬＡＮ）等のネットワークにおいて、写真や文書ファイル等のデータを保存及び出力するために、Ｗｅｂサーバを使用するデータ保管サービスが提供されている。このシステムにおいて、利用者がＷｅｂサーバに保存したファイルをメールアドレスがわかっている他者（受信者）に送付したい場合、送信側の利用者は、Ｗｅｂサーバへのファイル保存の他に受信者へのファイル送付連絡やその受領確認、また、受信者がファイルをサーバから取出して印刷する手順説明など、繁雑な連絡作業が発生するため、このサービスによるファイル送受信機能が使用しにくいものとなってしまう。
【０００３】
また、上記システムにおいて、あるファイルをインターネットを介した遠隔地にあるプリンタから出力したりＰＣへファイルを送る場合、そのＰＣやプリンタの利用者が個人や会社の所有物など信用できる人達である場合は、直接メールで送ったりファイル転送すればよいが、コンビニエンスストアに設置されたような公共のプリンタやＰＣへ直接送信しようとすると、確実に目的の受信者のみにファイルを渡せるかどうかが大きな問題になってくる。
【０００４】
また、受信者側のネットワーク環境（ＬＡＮ等）においてセキュリティが設定されている場合は、Ｗｅｂサーバから受信者側のネットワークに存在するプリンタに出力させるときに、受信者側のセキュリティを解除しなければならないため、そのセキュリティ解除方法をＷｅｂサーバ側に開示する必要があり、セキュリティ情報の漏洩という問題が生じてしまう。
さらに、携帯電話やＰＤＡなどの小型の携帯端末は大きな記憶装置をもっておらず、印刷対象のファイルを受信することができないが、受信者がこのような携帯端末しかもっていない状場合には、最寄の公共のプリンタがあっても印刷物を取得することができなかった。
【０００５】
従来より、携帯通信端末がＷｅｂサーバからインターネットを介して情報を取得し、これをプリンタに送信して印刷を行う印刷システムが提案されている（例えば、特許文献１参照）。
また、利用者が外出先でＷｅｂサーバと接続されるプリンタで所望の書式で印刷を行う印刷システムが提案されている（例えば、特許文献２参照）。
また、ネットワーク上の様々な場所にある情報を利用者端末のＷｅｂブラウザからネットワーク上のプリンタに送信して印刷を行う印刷システムが提案されている（例えば、特許文献３参照）。
しかしながら、これらの印刷システムは、Ｗｅｂ上に接続されたプリンタへ出力することを目的としているが、受信側がファイルの出力先プリンタを任意に設定できるようにはなされていない。
【０００６】
また、プリンタに別途端末を接続し、その端末がＷｅｂアクセスする印刷システムもあ
るが（例えば、特許文献４参照）、基本的に従来のＰＣがＷｅｂアクセスするものと変わりない。
さらに、プリンタが自発的にＷｅｂ接続する印刷システムもあるが（例えば、特許文献５参照）、送信されてきたファイルをいつでもどこでも印刷するようなことは想定されていない。
また、いずれの場合も、ネットワークによるデータストレージのシステムでは、メールアドレスのみわかっている他者を受信側としてデータを転送できるものはなく、受信側が携帯端末を用いてファイルの保存先／出力先を設定できたり、公共のプリンタに対して印刷を行うことができるものはない。
【特許文献１】特開２００１−２３２９０４号公報
【特許文献２】特開２００１−３５０６０３号公報
【特許文献３】特開２００１−２５６０１２号公報
【特許文献４】特開２００１−２６５５５２号公報
【特許文献５】特開２０００−２８４９１９号公報
【発明の開示】
【発明が解決しようとする課題】
【０００７】
本発明は、サーバを経由してファイル送信を行うのに際し、送信者が目的とする受信者にファイルを確実に渡せるようにすると共に、登録されていない受信者にもファイル転送を可能にし、また、受信者がファイルの保存先や出力先を設定できるようにすることを課題とするものである。
【課題を解決するための手段】
【０００８】
本発明による情報提供サービスシステムは、同一送信者が使用する少なくとも１つの送信者通信端末と、同一受信者が使用する少なくとも１つの受信者通信端末と、サーバとがネットワークに接続可能になされ、前記送信者通信端末は、前記サーバに対してファイル転送、受信者の指定を行い、前記サーバは、ファイルを保存し、指定された受信者にファイルを転送すると共に、送信者・サーバ・受信者間における所定の情報の送受信サービスを提供することを特徴とするものである。
【０００９】
請求項２に記載の発明は、請求項１記載のファイル転送サービスシステムであって、受信者通信端末は、ファイル受信の可否とファイルを受信する受信者通信端末を指定する情報をサーバに返信し、サーバはファイル受信可の場合に指定された受信者通信端末にファイルを転送すると共に、ファイル受信の可否を送信者通信端末に送信することを特徴とする。
【００１０】
請求項３に記載の発明は、請求項記１又は２記載のファイル転送サービスシステムであって、受信者通信端末の１つが画像出力機器又は記憶装置であり、受信者通信端末でサーバからアドレスやファイル名の情報を取得し、取得した情報を画像出力機器又は記憶装置に設定すると共に、画像出力装置又は記憶装置をサーバに通知し、画像出力装置又は記憶装置は指示された情報に基づいてサーバにアクセスし、指定のファイルを受信して出力又は保存することを特徴とする。
【００１１】
請求項４に記載の発明は、請求項３記載のファイル転送サービスシステムであって、サーバから取得したアドレスやファイル名の情報を画像出力機器又は記憶装置に設定する際、受信者が画像出力装置又は記憶装置の操作画面から直接入力して設定することを特徴とする。
【００１２】
請求項５に記載の発明は、請求項３記載のファイル転送サービスシステムであって、サーバから取得したアドレスやファイル名の情報を画像出力機器又は記憶装置に設定する際
、受信者通信端末からネットワーク通信を用いて画像出力装置又は記憶装置へ入力し設定することを特徴とする。
【００１３】
請求項６に記載の発明は、請求項１から５のいずれか１項に記載のファイル転送サービスシステムであって、受信者通信端末は携帯端末を含むことを特徴とする。
【００１４】
請求項７に記載の発明は、請求項１から６のいずれか１項に記載のファイル転送サービスシステムであって、所定の情報は、受信者に対する操作ガイダンスを含むことを特徴とする。
【００１５】
また、本発明によるサーバは、送信者から送付されたファイルを保存する保存手段と、送信者から指定された受信者にファイルを転送する転送手段と、送信者・サーバ・受信者間における所定の情報の送受信サービスを提供するサービス提供手段とを設けたことを特徴とするものである。
【００１６】
また、本発明によるプログラムは、送信者から送付されたファイルを保存する処理と、送信者から指定された受信者にファイルを転送する処理と、送信者・サーバ・受信者間における所定の情報の送受信サービスを提供する処理とをコンピュータに実行させるものである。
また、本発明によるコンピュータ読み取り可能な記録媒体は、上記プログラムを記録したものである。
【発明の効果】
【００１７】
サーバを経由してファイル送信を行う場合における、送信者と受信者双方の連絡確認作業等の負荷を軽減すると共に、このサービスのユーザとして登録されていない受信者にもファイル転送が可能となる。
【発明を実施するための最良の形態】
【００１８】
本発明は、サーバに、ファイル保存、転送機能のほかに、メール送受信、メールの自動転送、転送メールへの情報付加等の所定の情報の送受信サービス機能を持たせるようにしたものである。
【実施例１】
【００１９】
図１は本発明の実施例による情報提供サービスシステムの構成図である。尚、この図は後述する実施例２〜４にも共通するものである。
図１において、まず、このシステムにおけるサービスの利用者とサービス提供者について説明する。
Ａ．利用者（送信者、外出時と通常時）：予めサービス提供者と契約し、Ｗｅｂサーバ（以下、単にサーバという）４と利用者Ａ側のゲートウェイ９に設定登録することで、日常作成し、使用しているファイルデータ（以下、ファイル）をサーバ４に保存し、いつでもどこでも取出して印刷できるサービスを利用できる。
【００２０】
Ｂ．サービス提供者：顧客としての利用者Ａのファイルを保存するためのサーバ４を有し、顧客がいつでもどこでもファイルを保存／出力できるようにするサービスを提供する。
このサービス提供において、顧客が保存するファイルの保護と使いやすい操作性を提供することが重要な点である。また、このサービス提供の対価は契約内容に従って課金し、顧客からサービス提供料金を徴収する。
【００２１】
Ｃ．原稿側：ここでは、利用者Ａが日常使用しているＰＣ又はネットワーク環境に保存
されているファイルを指している。このファイルをサービス提供者Ｂのサーバ４に保存することで、サービス提供が開始される。また、利用者Ａが外出先にあってもリモート操作で原稿側Ｃのファイルを検索し、サーバ４に保存することもできる。
【００２２】
次に、情報提供サービスシステムの構成について説明する。
ファイル１（原稿側）：利用者Ａが日常使用しているパソコン２に保存されているファイル、データのこと。
パソコン２（原稿側）：利用者Ａが日常使用しているパソコン。サービス利用時はこのパソコン２からＷｅｂ上のサービス提供者Ｂのサーバ４にファイル１の保存を行う。また、サーバ４の保存ファイル５としては、日常使用しているネットワーク環境であるＬＡＮ６を通して他のパソコン１３やデータベース（図示せず）をはじめ、画像出力複合機などに保存されているファイルや、Ｗｅｂを通じて入手できるファイルを検索して保存することもできる。
インターネット３：このサービス提供は、インターネットを代表とする公的なネットワーク経由でファイルの送受信を行うことを前提としている。
【００２３】
サーバ４（サービス提供側）：サービス提供者Ｂがサービスを提供するため、Ｗｅｂ上に設けたサーバで、利用者Ａのファイル１を保存ファイル５として保存すると共に、任意にファイルの取出しや印刷ができるように保存ファイル５を管理する。また、利用者Ａの希望で、利用者Ａが日常的にファイルを作成、保存しているＰＣ２等の環境を契約登録しておくことで、外出先からＰＣ２等の保存ファイルをリモート検索し、このサーバ４経由で取出すこともできる。また、このサーバ４は、前記サービス提供者Ｂでも説明したように、上記のファイル保存や転送機能のほかに、利用者Ａ・サーバ４・受信者Ｄ（図２のファイル送信先の受信者Ｄ）の間における所定の情報の送受信サービスを提供する。所定の情報としては、後述する受信の可否や操作ガイダンス等がある。
【００２４】
保存ファイル５（サービス提供側）：サーバ４に利用者Ａが保存したファイルで、利用者Ａが任意に取出して印刷したり、転送や消去を行える。また、図２に示すファイル送信先の受信者ＤもＷｅｂを通じてこの保存ファイル５を取出すことができる。
ＬＡＮ６（原稿側）：利用者Ａが日常使用しているパソコン２が接続されているネットワーク。
【００２５】
ネットワーク画像出力機器７（原稿側）：利用者Ａが日常使用しているパソコン２とネットワーク６を介して接続されているプリンタ、複写機、複合機等の画像出力端末である。最近の画像出力機器は、ファイルを蓄積できるストレージ機能を内蔵しているものもあり、サーバ４の保存ファイル５として、このネットワーク画像出力機器７に保存されているファイルを検索して保存することもできる。
【００２６】
通信端末８（送信側）：利用者Ａが外出したときにサーバ４に接続するために使用する。例としては、外出先の借用ＰＣやモバイル用ノートＰＣがあるが、その他に電子メールやインターネット接続が可能な携帯電話やＰＤＡなどのモバイルＰＣをはじめ、Ｗｅｂ接続が可能なそのほかの通信端末も含む。
ゲートウェイ９（原稿側／サービス提供側）：利用者Ａが日常使用するパソコン２を接続しているＬＡＮ６とインターネット３との接続とアクセス制御を行う。利用者Ａが外出先から自分のパソコン２に保存しているファイル１を検索する際、サーバ４と交信できるように設定されており、このゲートウェイ９経由でファイル検索とサーバ４へのファイル保存を行う。
【００２７】
パソコン１０(外出時)：利用者Ａが外出時に使用するパソコン又はそれに準ずるＰＤＡ等の通信端末。機器の識別情報が未登録の場合は、予めサービス提供者Ｂから貸与されて
いる利用者識別情報を記憶している記憶媒体（ＦＤやメモリカード等）を使用することにより、サーバ４に接続時の認証確認を行う。
ＬＡＮ１１（外出時）：利用者Ａが外出時に使用しているパソコン１０が接続されているネットワーク。
ネットワーク画像出力機器１２（外出先）：利用者Ａが外出先で使用するパソコン１０にＬＡＮ１１を介して接続されているプリンタや複写機、複合機などの画像出力装置で、サーバ４から取出したファイルの印刷出力時に使用する。
【００２８】
図２は本発明の請求項１、２に関する実施例１による送信時のシステムの構成図であり、図１と対応する部分には同一符号を付して重複する説明は省略する。
Ｄ．受信者：送信側の利用者Ａがファイル送信（転送）を行った場合の受信側のサービス利用者。
この受信者Ｄは、通信端末１４を使用する。通信端末１４としては、携帯端末、ノートＰＣ、パソコン、ＰＤＡ等が用いられる。また、受信者Ｄが使用可能な画像出力機器１５が設けられている。通信端末１４、画像出力機器１５はＬＡＮ１６接続され、ＬＡＮ１６はサーバ４とインターネット３を介して接続されている。
【００２９】
次に、動作について説明する。
まず、ファイル保存動作について図４のフローチャートを用いて説明する。
利用者Ａは、自分が使用可能な通信端末（通信端末８、パソコン２等）を用いて保存したいファイルを選択し（Ｓ１）送信する（Ｓ２）。これをサービス提供者Ｂ側のサーバ４が受信し（Ｓ３）、保存ファイル５として保存する。この保存ファイル５はいつでも取り出したり、転送ができるようにしておく。
【００３０】
次に、ファイル送信時の動作について図２の(1) 〜(6) 、及び図５のフローチャートを用いて説明する。
(1) 上記ファイル保存動作を行う。
(2) メール送信：利用者Ａからサーバ４経由で受信者Ｄへファイル送信のメールを送る。操作の一例として、利用者Ａはサーバ４が提供するＷｅｂページのガイダンスや書式に従って、ファイル送付先のアドレス指定、送付する保存ファイルの指定、メールコメント文章の入力等を行い、送信ボタンを押すとメール送信される（Ｓ１１）。
【００３１】
(3) メール転送：利用者Ａが送信したメールは一度サーバ４で受信し（Ｓ１３）、ここでメール転送文を自動作成して（Ｓ１４）、受信者Ｄにメールを送信する（Ｓ１５）。このサーバ４での自動転送メール文作成のときに付加情報が書き加えられる。例として、受信者Ｄがメール受信後にファイル保存／出力又は受信拒否をするための操作ガイダンスや、送付されたファイルを印刷するときの枚数、用紙サイズ等を含む出力情報等、受信者Ｄがこのサービスについての予備知識がなくとも、ファイルの受信ができるような付加情報が自動作成される。
【００３２】
(4) 返信メール：受信者Ｄは、送付されたメールを受信して（Ｓ１６）、ファイルが送付されることを知るが、このときそのファイルを受信するか、受信拒否をするかを選択する（Ｓ１８）。
受信する場合は、ファイルをどこに送ってもらうか（自分の通信端末１４又は受信側画像出力機器１６等）を指定する保存先／出力先情報を添付した返信メールを作成する（Ｓ２０）。
また、受信居否の場合はその旨を添付した返信メールを作成して返信する（Ｓ２１）。これらは(3) の操作ガイダンスに従って行われる。返信後、受信拒否の場合は（Ｓ２２、Ｎｏ）終了する。
(5) 受信確認メール：サーバ４は、受信者Ｄからの受信した（Ｓ２３）返信メールと、
その情報（保存先／出力先、受信可否等）を付加したメールを作成し（Ｓ２４）、受信確認メールとして利用者Ａに転送する（Ｓ２５）。
【００３３】
(6) ファイル送信／出力：サーバ４は、受信者Ｄがファイル受信を拒否していなければ（Ｓ２７、Ｎｏ）、受信者Ｄはファイルの転送を希望しているかを判断し（Ｓ２８）、希望していれば、転送ファイルを作成して（Ｓ２９）受信者Ｄに送信する（Ｓ３０）。受信者Ｄはこのファイルを通信端末１４で受信して保存する（Ｓ３１、Ｓ３２）。また、Ｓ２８で受信者Ｄがファイルの転送を希望していない場合は、受信者Ｄはファイルの出力を希望しているかを判断し（Ｓ３３）、希望していれば出力ファイルを作成して（Ｓ３４）、受信側の画像出力機器１５に送信する（Ｓ３５）。画像出力機器１５はこれを受信してファイルの印刷出力を行う（Ｓ３６、Ｓ３７）。
【００３４】
従って、受信者Ｄは、ファイルの保存先又は出力先を指定することによって、手元のパソコン等の通信端末、あるいは最寄りの画像出力機器１５にファイルをダウンロード、又は印刷出力を行うことができる。このときの保存先、出力先は受信者Ｄが持つ携帯端末である必要はない。また、画像出力機器１５に代えて、大容量の記憶装置を有する通信端末８であってもよく、その記憶装置にファイルを保存してもよい。
尚、受信者の指定した保存先又は出力先にセキュリティが設定されている場合は、サーバ４からのファイル送信時にセキュリティ解除方法を受信者Ｄに提示する必要がある。
【実施例２】
【００３５】
図３は本発明の請求項３に関する実施例２によるシステムの構成図であり、図１、図２と対応する部分には同一符号を付して重複する説明は省略する。この実施例２は、保存先又は出力先にセキュリティが設定されている場合でも、セキュリティ解除の方法を提示する必要がないものである。
図６は実施例２によるフローチャートであり、図４と対応するステップには同一ステップ番号を付して重複する説明は省略する。尚、図６の図４との重複部分については主な処理の流れのみ示してあり、細かいステップは省略されているが、重複部分は図４と実質的に同じである。
【００３６】
次に、動作について説明する。
(1) ファイル保存、(2) メール送信は、実施例１と同様に行われる（Ｓ１１〜Ｓ１７）。
(3) メール転送は、サーバ４で返信メールを作成する時、前記操作ガイダンスや出力情報が添付されるほかに画像出力機器１５に設定するサーバ上のファイルのアドレスとファイル名等、このサービスについての予備知識がなくとも操作ができるような付加情報が自動作成される。
(4) 返信メール、(5) 受信確認メールは、実施例１と同様に行われる（Ｓ２１〜Ｓ２６）。
【００３７】
(6) 取得ファイル設定：受信者Ｄは、受信したメールの前記ガイダンスに従い、サーバ４に保存されているファイルのアドレスやファイル名を画像出力機器１５に設定する（Ｓ３８）。
このときの画像出力機器１５は、ネットワークに接続されているコンビニエンスストア等におかれている公共のプリンタ等でもよい。
(7) ファイル取得／出力：画像出力機器１５は、受信者Ｄが設定した情報に従ってサーバ４にアクセスして（Ｓ３９）保存ファイル５を取得し（Ｓ４０）、必要ならば出力する（Ｓ４１）。
以上によれば、受信者Ｄの指定した保存先又は出力先にセキュリティが設定されている場合でも、受信者Ｄ側から取得しにいくため、サーバ４側にセキュリティ解除方法を提示
する必要はない。
【実施例３】
【００３８】
次に、請求項４に関する実施例３について説明する。
上記実施例３の(6) において、受信者Ｄは、画像出力機器１５の操作画面からサーバ４に保存されているファイルのアドレスやファイル名を設定する。
【実施例４】
【００３９】
次に、請求項５に関する実施例４について説明する。
実施例３の(6) において、このときの画像出力機器１５は、ネットワークサーバとしての機能を持っており、ＨＴＭＬ言語等で記述された設定画面を受信者Ｄの携帯端末上のブラウザ等に表示させ、そこから受信者Ｄは、サーバ４に保存されているファイルのアドレスやファイル名を設定する。あるいは、サーバ４からの転送メールに必要事項を追記して、画像出力機器１５に転送すると自動的に設定が行われるようにしてもよい。
【００４０】
実施例１によれば、サーバ４にメール送受信、メールの自動転送、転送メールへの情報付加等の機能を持たせることにより、ファイルの転送、出力に必要な送信者と受信者の情報のやり取りが最小限に抑えられるため、サーバ４を経由したファイル送信に伴う、送信者と受信者双方の連絡確認作業の負荷を軽減し、ファイル送受信作業を円滑にすると共に、自動的に受信確認ができ、さらに、このサービスのユーザとして登録されていない他者にもファイル転送が可能となる効果が得られる。
また、受信者Ｄが任意の保存先、出力先を指定できるので、受信者Ｄは印刷ファイルなど大きなファイルをインターネット経由で受信するための大容量の記憶装置を持っていなくとも、小型の携帯端末を持っていれば近くの画像出力機器１５等の最寄のプリンタに印刷物を出力したり、パソコン等にファイルを保存することができる効果が得られる。
【００４１】
また、実施例２、３、４によれば、受信者Ｄが希望する任意の保存先、出力先からサーバ４にアクセスしてファイルを取得するため、受信者Ｄは受信ファイルを受信できるほどの大容量の記憶装置を持っていなくとも、小型の携帯端末を持っていれば近くのプリンタやＰＣにファイルを受信することができ、また、保存先、出力先にセキュリティが設定されている場合でも、受信側から取得しに行くため、サーバ４に受信側のセキュリティ解除方法を提示する必要はないので、安全にファイルを取得／出力することができる効果が得られる。
【図面の簡単な説明】
【００４２】
【図１】本発明の実施例による情報提供サービスシステムを示す構成図である。
【図２】本発明の実施例１によるファイル送信を行う場合の構成・手順を示す構成図である。
【図３】本発明の実施例２によるファイル送信を行う場合の構成・手順を示す構成図である。
【図４】実施例１によるファイル保存の手順を示すフローチャートである。
【図５】実施例１によるファイル送信を行う場合の手順を示すフローチャートである。
【図６】実施例２によるファイル送信を行う場合の手順を示すフローチャートである。
【符号の説明】
【００４３】
Ａ    利用者
Ｂ    サービス提供者
Ｃ    原稿側
Ｄ    受信者
１    ファイル
２    利用者Ａが通常使用するパソコン
３    インターネット
４    Ｗｅｂサーバ
５    保存ファイル
６、１１、１６    ＬＡＮ
７    原稿側の画像出力機器
８    利用者Ａが外出時に使用する通信端末
９    ゲートウェイ
１０    利用者Ａが外出時に使用するパソコン
１２    利用者Ａが外出時に使用する画像出力機器
１３    利用者Ａが使用するパソコン
１４    受信者Ｄが使用する通信端末
１５    受信側の画像出力機器
【図１】
2005071281.tif 000003
【図２】
2005071281.tif 000004
【図３】
2005071281.tif 000005
【図４】
2005071281.tif 000006
【図５】
2005071281.tif 000007
【図６】
2005071281.tif 000008